(57)【要約】【課題】腰掛式便器に取り付けられた便座装置において、腰掛式便器と便座装置との間の清掃の準備の容易化を図ること。【解決手段】便座装置３の板状の被取付プレート１は、腰掛式便器２に固定され、後方に向かうにしたがって下方に向けて傾斜する第一傾斜面１３ａを有する第一部材１０と、第一傾斜面１３ａと対向する位置に配置され、第一部材１０に回動可能に支持されるとともに、便座装置３が一体回転可能に取付けられた第二部材２０と、第一傾斜面１３ａと第二部材２０との間の第一位置Ｐｓ１と、第一位置Ｐｓ１より第一傾斜面１３ａ側に位置する第二位置Ｐｓ２との間をスライド可能に第二部材２０に支持された第三部材３０と、を備えている。第三部材３０が第二位置Ｐｓ２に位置した場合、第三部材３０の第一傾斜面１３ａに対向する部位が第一傾斜面１３ａに乗り上げ、第二部材２０が第一方向Ｄ１に向けて回動する。【選択図】  図５Ｃ
2019030565.tif 000002
【特許請求の範囲】
【請求項１】
板状に形成されるとともに、腰掛式便器における便鉢部の後方に設けられた取付面に固定され、便座装置が取り付けられる便座装置の被取付プレートであって、
下側面が前記取付面に接触するように前記腰掛式便器に固定され、後方に面する部位に前方から後方に向かうにしたがって上方から下方に向けて傾斜する傾斜面を有する第一部材と、
前記傾斜面より後方にて前記傾斜面と前後方向に対向する位置に配置され、前記傾斜面と対向する部位が上方向に向く第一方向および前記第一方向と反対の第二方向に回動可能に前記第一部材に支持されるとともに、上側部に前記便座装置が一体回転可能に取付けられた第二部材と、
前記傾斜面と前記第二部材との間の第一位置と、前記第一位置より前記傾斜面側に位置する第二位置との間をスライド可能に前記第二部材に支持された第三部材と、
前記第三部材を前記第一位置と前記第二位置との間にてスライドさせるように駆動する駆動部と、を備え、
前記第三部材が前記第一位置に位置する場合に前記第三部材における前記傾斜面と前後方向にて対向する部位である第一部位は、前記第三部材が前記第二位置に位置した場合に前記傾斜面に乗り上げ、
前記第二部材は、前記第一部位が前記傾斜面に乗り上げた場合、前記第一方向に向けて回動する便座装置の被取付プレート。
【請求項２】
前記第三部材が前記第一位置に位置する場合、前記第二部材の前記第一方向へ向けた回動を規制する規制部をさらに備えている請求項１に記載の便座装置の被取付プレート。
【請求項３】
前記傾斜面は、前記第三部材が前記第二位置に位置する場合に、前記第三部材が前記第一位置に向けてスライドすることを抑制する抑制部を備えている請求項１または請求項２に記載の便座装置の被取付プレート。
【請求項４】
前記第二部材は、前記第三部材が前記第二位置に位置した場合に、前記便座装置が着脱可能となるように取り付けられている請求項１乃至請求項３の何れか一項に記載の便座装置の被取付プレート。
【発明の詳細な説明】
【技術分野】
【０００１】
本発明は、便座装置の被取付プレートに関する。
【背景技術】
【０００２】
便座装置の被取付プレートの一形式として、特許文献１に示されているものが知られている。特許文献１の便座装置（温水洗浄便座装置）の被取付プレート（プレート）は、便器後部の据付部に固定され、便座装置が取り付けられる。被取付プレートおよび便座装置のレバー体を含んで構成された移動機構は、被取付プレートに対して便座装置が移動可能かつ回動可能に設けられている。使用者のレバー体および便座装置の操作によって、便座装置が、被取付プレートに対して後方位置と前方位置との間を移動し、かつ、前方位置にて回動する。便座装置が回動されたチルト状態が維持されることによって、便器と便座装置との間の清掃を行うことができる。
【先行技術文献】
【特許文献】
【０００３】
【特許文献１】特開２００６−２４１９４５号公報
【発明の概要】
【発明が解決しようとする課題】
【０００４】
しかしながら、上述した特許文献１の便座装置においては、使用者が便器と便座装置との間の清掃の準備を行う場合、使用者がレバー体を操作しながら、便座装置を前後方向に移動させてから便座装置をチルト状態にする必要があるため、使用者の手順が比較的多い。
【０００５】
そこで、本発明は、上述した課題を解消するためになされたもので、便器に取り付けられた便座装置において、便器と便座装置との間の清掃の準備の容易化を図ることを目的とする。
【課題を解決するための手段】
【０００６】
上記の課題を解決するため、請求項１に係る便座装置の被取付プレートは、板状に形成されるとともに、腰掛式便器における便鉢部の後方に設けられた取付面に固定され、便座装置が取り付けられる便座装置の被取付プレートであって、下側面が取付面に接触するように腰掛式便器に固定され、後方に面する部位に前方から後方に向かうにしたがって上方から下方に向けて傾斜する傾斜面を有する第一部材と、傾斜面より後方にて傾斜面と前後方向に対向する位置に配置され、傾斜面と対向する部位が上方向に向く第一方向および第一方向と反対の第二方向に回動可能に第一部材に支持されるとともに、上側部に便座装置が一体回転可能に取付けられた第二部材と、傾斜面と第二部材との間の第一位置と、第一位置より傾斜面側に位置する第二位置との間をスライド可能に第二部材に支持された第三部材と、第三部材を第一位置と第二位置との間にてスライドさせるように駆動する駆動部と、を備え、第三部材が第一位置に位置する場合に第三部材における傾斜面と前後方向にて対向する部位である第一部位は、第三部材が第二位置に位置した場合に傾斜面に乗り上げ、第二部材は、第一部位が傾斜面に乗り上げた場合、第一方向に向けて回動する。
【発明の効果】
【０００７】
これによれば、駆動部によって第三部材が第一位置から第二位置にスライドして、第三部材の第一部位が傾斜面に乗り上げた場合、第二部材が第一方向に向けて回動した状態になる。このとき、便座装置が第二部材に一体回転可能に取り付けられているため、便座装置が第一方向に回動した状態になる。これにより、腰掛式便器と便座装置の間を清掃することができる。よって、従来技術のように、レバー体を操作しながら便座装置を前後方向に移動させてから便座装置を回動させる場合に比べて、腰掛式便器と便座装置との間の清掃の準備の容易化を図ることができる。
【図面の簡単な説明】
【０００８】
【図１】本発明による一実施形態に係る便座装置の被取付プレートが腰掛式便器に固定され、かつ、便座装置を取り付けられた状態を示す側面図である。
【図２】図１に示す便座装置の被取付プレートの斜視図である。
【図３】図２に示す便座装置の被取付プレートの構成部品を示す分解図である。
【図４】図２に示すIV−IV線に沿った便座装置の被取付プレートの断面図である。
【図５Ａ】図２に示すV-V線に沿った便座装置の被取付プレートの断面図であり、第三部材が第一位置に位置している状態が示されている。
【図５Ｂ】図２に示すV-V線に沿った便座装置の被取付プレートの断面図であり、第三部材が第一位置と第二位置との間に位置している状態であって、規制部の規制が外れた状態が示されている。
【図５Ｃ】図２に示すV-V線に沿った便座装置の被取付プレートの断面図であり、第三部材が第二位置に位置している状態が示されている。
【図５Ｄ】図２に示すV-V線に沿った便座装置の被取付プレートの断面図であり、第三部材が第二位置に位置している状態であって、便座装置が第二部材から取り外された状態が示されている。
【図６】本発明による一実施形態の変形例に係る便座装置の被取付プレートを示す断面図である。
【発明を実施するための形態】
【０００９】
以下、本発明による便座装置の被取付プレート（以下、被取付プレートともいう。）の一実施形態について図面を用いて説明する。なお、本明細書においては説明の便宜上、図１における上側および下側をそれぞれ被取付プレート１の上方および下方とし、同じく左側および右側をそれぞれ被取付プレート１の前方および後方とし、同じく紙面奥側および紙面手前側を、それぞれ被取付プレート１の右方および左方として説明する。
【００１０】
被取付プレート１は、板状に形成されるとともに、腰掛式便器２における便鉢部２ａの後方に設けられた取付面２ｂに固定され、便座装置３が取り付けられるものである。腰掛式便器２は、便鉢部２ａおよび取付面２ｂを備えている。取付面２ｂは、腰掛式便器２の上面のうち便鉢部２ａの後方の部位である。取付面２ｂにて開口する取付穴２ｃ（図４参照）に貫通するボルト４（図４参照）と、ナット（図示なし）とが用いられて、被取付プレート１が取付面２ｂに固定される。
【００１１】
便座装置３は、本実施形態において、温水洗浄便座である。便座装置３は、本体部３ａ、便座部３ｂおよび便座部３ｂを覆う便蓋部３ｃを備えている。本体部３ａには、人体の局部の洗浄を行う洗浄装置（図示なし）が収納されている。
【００１２】
本体部３ａは、便座部３ｂおよび便蓋部３ｃを回動可能に保持する。本体部３ａは、被取付プレート１を介して腰掛式便器２に取り付けられている。本体部３ａの底面には、凹状のプレート取付部３ａ１（図１および図４参照）が設けられている。プレート取付部３ａ１には、被取付プレート１が着脱可能に取り付けられる（詳細は後述する）。腰掛式便器２に固定された被取付プレート１に本体部３ａが取り付けられることにより、便座装置３が腰掛式便器２に取り付けられる。
【００１３】
被取付プレート１は、図２に示すように、平面視矩形状の板状に形成されている。被取付プレート１は、下側面と取付面２ｂとが対向するように、取付面２ｂに固定される。被取付プレート１は、上側面、左右側面および前側面とプレート取付部３ａ１とが対向するように、便座装置３が取り付けられる。被取付プレート１は、図２および図３に示すように、第一部材１０、第二部材２０、第三部材３０および駆動部４０を備えている。
【００１４】
第一部材１０は、下側面が取付面２ｂに接触するように腰掛式便器２に固定されるものである。第一部材１０は、平面視において、後方を開放するＵ字状に形成されている。第一部材１０は、左固定部１１、右固定部１２、第一接続部１３および規制部１４を備えている。左固定部１１、右固定部１２、第一接続部１３および規制部１４は、一体に形成されている。
【００１５】
左固定部１１と右固定部１２とが左右対称に形成されているため、左固定部１１についてのみ説明する。なお、右固定部１２は、左固定部１１と同一の構成については同一のアルファベットの添え字が付けられている。
【００１６】
左固定部１１は、平面視矩形状に形成されている。左固定部１１は、前後方向に沿って延びる二つの凹部１１ａが設けられている。一方の凹部１１ａの底部には、ボルト４が貫通する貫通穴１１ｂ（図４参照）が設けられている。また、左固定部１１の右側面の後端部には、第二部材２０の第一突出部２１ａ（後述する）が回動可能に嵌る穴部１１ｃが設けられている。
【００１７】
第一接続部１３は、左右方向に沿って延びる柱状に形成されている。第一接続部１３は、左固定部１１と右固定部１２とを、それぞれの前端部にて互いに接続する。第一接続部１３は、第一傾斜面１３ａ（本発明の傾斜面に相当）が設けられている。
【００１８】
第一傾斜面１３ａは、第一部材１０における後方に面する部位に前方から後方に向かうにしたがって上方から下方に向けて傾斜するものである。第一部材１０における後方に面する部位は、具体的には、第一接続部１３の上側面と後側面との間の部位である。
【００１９】
規制部１４は、第三部材３０が第一位置Ｐｓ１に位置する場合（図２および図５Ａ参照）、第二部材２０の第一方向Ｄ１へ向けた回動を規制するものである（詳細は後述する）。規制部１４は、左右方向に沿って延びるとともに、左固定部１１と右固定部１２とを、それぞれの前後方向中央部にて互いに接続するように形成されている。規制部１４は、断面Ｌ字状に形成されている（図５Ａ参照）。
【００２０】
第二部材２０は、第一傾斜面１３ａより後方にて第一傾斜面１３ａと前後方向に対向する位置に配置される。第二部材２０は、具体的には、第一接続部１３の後方、かつ、左固定部１１と右固定部１２との間に配置される。第二部材２０は、前方を開放するＵ字状に形成されている。第二部材２０は、左ガイド部２１、右ガイド部２２および第二接続部２３を備えている。第二部材２０は、左ガイド部２１、右ガイド部２２および第二接続部２３は、一体に設けられている。
【００２１】
左ガイド部２１と右ガイド部２２とが左右対称に形成されているため、左ガイド部２１についてのみ説明する。なお、右ガイド部２２には、左ガイド部２１と同一の構成については同一のアルファベットの添え字が付けられている。
【００２２】
左ガイド部２１は、前後方向に延びる柱状に形成されている。左ガイド部２１は、第一突出部２１ａ、第一溝部２１ｂ、第二溝部２１ｃおよび凹部２１ｄが設けられている。
【００２３】
第一突出部２１ａは、第一部材１０の穴部１１ｃに嵌るように設けられている。第一突出部２１ａは、左ガイド部２１の後端部に、左方に向けて円柱状に突出して形成されている。第一突出部２１ａが穴部１１ｃに嵌ることにより、第一突出部２１ａを中心として、第二部材２０が第一方向Ｄ１および第一方向Ｄ１と反対の第二方向Ｄ２に回動可能に第一部材１０に支持される。第一方向Ｄ１は、第二部材２０における第一傾斜面１３ａと対向する部位（第二接続部２３の前側面）が上方向に向く方向である（図５Ｃ参照）。
【００２４】
第二部材２０は、第二部材２０の上側面と第一部材１０の上側面とが同一平面上に位置する第一回動位置Ｐｒ１（図２および図５Ａ参照）と、第一回動位置Ｐｒ１から第一方向Ｄ１に回動した第二回動位置Ｐｒ２（図５Ｃ参照）との間を回動する（詳細は後述する）。
【００２５】
第一溝部２１ｂは、左ガイド部２１の左側面にて、前後方向に延びる溝状に形成されている。第一溝部２１ｂは、左ガイド部２１の前側面にて開放するように形成されている。第一溝部２１ｂの前端は、第二部材２０が第二回動位置Ｐｒ２に位置した場合に、第一傾斜面１３ａより上方に位置する（図５Ｃ参照）。
【００２６】
第二溝部２１ｃは、左ガイド部２１の右側面にて、前後方向に延びる溝状に形成されている。第二溝部２１ｃは、左ガイド部２１の前側面にて開放するように形成されている。
【００２７】
凹部２１ｄは、第二部材２０と第一部材１０の規制部１４とが接触しないように設けられたものである。凹部２１ｄは、左ガイド部２１の下側面に上方に向けて凹むように設けられている。
【００２８】
第二接続部２３は、左右方向に沿って延びる柱状に形成されている。第二接続部２３は、左ガイド部２１と右ガイド部２２とを、それぞれの後端部にて互いに接続する。第二接続部２３は、駆動部４０を取り付ける取付穴２３ａが設けられている。
【００２９】
また、第二部材２０は、上側部に便座装置３が一体回転可能に取付けられている。図４に示すように、被取付プレート１が便座装置３のプレート取付部３ａ１に配置された状態において、便座装置３が第二部材２０の上側部に位置するとともに、プレート取付部３ａ１に設けられた一対の第一掛り部３ａ２の先端部が第一溝部２１ｂ，２２ｂに嵌ることにより、便座装置３が第二部材２０に取り付けられる。
【００３０】
一対の第一掛り部３ａ２は、プレート取付部３ａ１の上側面にて左右方向に並べて配置され、互いに平行となるように前後方向に沿って延びる断面Ｌ字状に形成されている（図４および図５Ｄ参照）。一対の第一掛り部３ａ２は、具体的には、下方に延びてから、それぞれの先端部が互いに対向するように左右方向に折れ曲がるように形成されている。
【００３１】
これにより、便座装置３が、第二部材２０に対して上方向に取り外されることが規制され、かつ、第一溝部２１ｂ，２２ｂの延びる方向に沿ってスライド可能に、第二部材２０に取り付けられる。また、これにより、第二部材２０の回動に合わせて便座装置３が一体的に回動する（詳細は後述する）。なお、第二部材２０が第一回動位置Ｐｒ１に位置するとき、第一溝部２１ｂ，２２ｂの前方に第一接続部１３の後端面が位置する。よって、このときに便座装置３を前方にスライドさせた場合、第一掛り部３ａ２と第一接続部１３とが接触するため、便座装置３が第二部材２０から取り外されない（図５Ａ参照）。
【００３２】
第三部材３０は、第一傾斜面１３ａと第二部材２０との間の第一位置Ｐｓ１と、第一位置Ｐｓ１より第一傾斜面１３ａ側に位置する第二位置Ｐｓ２との間をスライド可能に第二部材２０に支持されたものである。第三部材３０は、具体的には、図２に示すように、第一部材１０の第一傾斜面１３ａと第二部材２０の第二接続部２３との間、かつ、第二部材２０の左ガイド部２１と右ガイド部２２との間に配置される。
【００３３】
第一位置Ｐｓ１は、具体的には、第三部材３０の後側面と、第二接続部２３の前側面とが接触する位置である（図２および図５Ａ参照）。第二位置Ｐｓ２は、第一位置Ｐｓ１より第一傾斜面１３ａ側（前方）の位置であり、第三部材３０の一部が第一傾斜面１３ａに乗り上げる位置である（図５Ｃ参照：詳細は後述する）。
【００３４】
第三部材３０は、図２乃至図５Ａに示すように、直方体状に形成されている。第三部材３０は、一対の第二突出部３１、第二傾斜面３２、ネジ穴部３３および第二掛り部３４を備えている。
【００３５】
一対の第二突出部３１は、第三部材３０の左側面および右側面にて外側に向けてそれぞれ突出し、前後方向にそって延びるように形成されている。一対の第二突出部３１が第二部材２０の第二溝部２１ｃ，２２ｃにそれぞれ嵌ることにより、第三部材３０が第二部材２０に対して第一位置Ｐｓ１と第二位置Ｐｓ２との間をスライド可能に第二部材２０に支持される。また、これにより、第二部材２０の回動に合わせて第三部材３０が一体的に回動する（詳細は後述する）。
【００３６】
第二傾斜面３２は、第三部材３０が第一位置Ｐｓ１に位置する場合に第一傾斜面１３ａと対向する部位に設けられている。第二傾斜面３２は、具体的には、第三部材３０の下側面と前側面との間に設けられている。第二傾斜面３２は、後方から前方に向かうにしたがって、下方から上方に向けて傾斜するように形成されている。第二傾斜面３２は、第一傾斜面１３ａとおよそ平行となるように形成されている。
【００３７】
第三部材３０が第一位置Ｐｓ１に位置する場合、第二傾斜面３２は、第一傾斜面１３ａと上下方向に重なるように設けられている。また、第三部材３０が第一位置Ｐｓ１に位置する場合において、第一傾斜面１３ａと第二傾斜面３２とが前後方向に沿って所定距離Ｌだけ離れて設けられている。所定距離Ｌは、第二掛り部３４の前後方向に沿った長さより長くなるように設定されている。このように、第二傾斜面３２は、第三部材３０が第一位置Ｐｓ１に位置する場合、第三部材３０における第一傾斜面１３ａと対向する部位である。第二傾斜面３２は、本発明の第一部位に相当する。
【００３８】
ネジ穴部３３は、後側面から前方に、前後方向に沿って延びる螺子穴である。ネジ穴部３３は、駆動部４０の後述するネジ部４２が嵌るように設けられている。
【００３９】
第二掛り部３４は、第三部材３０が第一位置Ｐｓ１に位置する場合において上方に移動しようとしたときに、規制部１４に引掛かる部位である。第二掛り部３４は、第三部材３０の底部の後側面から突出するように形成されている。
【００４０】
駆動部４０は、第三部材３０を第一位置Ｐｓ１と第二位置Ｐｓ２との間にてスライドさせるように駆動するものである。駆動部４０は、モータ部４１およびネジ部４２を備えている。モータ部４１は、ネジ部４２を第三方向または第三方向と反対の第四方向に回転させるものである。モータ部４１は、ＤＣモータ（図示なし）および減速機構（図示なし）を含んで構成されたギアードモータである。
【００４１】
ネジ部４２は、前後方向に沿って延びるように、第三部材３０のネジ穴部３３に嵌るように設けられている。第三部材３０が第一位置Ｐｓ１に位置する状態において、ネジ部４２が第三方向に所定回転量だけ回転することにより、第三部材３０が第一位置Ｐｓ１から第二位置Ｐｓ２にスライドする。一方、第三部材３０が第二位置Ｐｓ２に位置する状態において、ネジ部４２が第四方向に所定回転量だけ回転することにより、第三部材３０が第二位置Ｐｓ２から第一位置Ｐｓ１にスライドする。
【００４２】
また、被取付プレート１は、制御部（図示なし）を備えている。制御部は、系統電源に接続され、駆動部４０に電力を供給するとともに、ネジ部４２の回転量を制御するものである。
【００４３】
次に、被取付プレート１の清掃準備動作について、図５Ａ乃至図５Ｃを用いて説明する。清掃準備動作は、使用者が腰掛式便器２と便座装置３との間の清掃を行う場合において、その清掃の準備として、便座装置３を傾斜させる、被取付プレート１の動作である。
【００４４】
清掃準備動作が実行された場合、図１に示すように、便座装置３が、通常使用されるために本体部３ａの下側面と取付面２ｂとがおよそ平行である使用状態Ｓｂ１（実線にて示す状態）から、清掃のために本体部３ａの下側面の前側部が取付面２ｂから離れるように傾斜した清掃状態Ｓｂ２（一点鎖線にて示す状態）に回動する。
【００４５】
便座装置３が使用状態Ｓｂ１である場合、被取付プレート１は、図２および図５Ａに示す第一状態Ｓｐ１である。被取付プレート１が第一状態Ｓｐ１である場合、第二部材２０が第一回動位置Ｐｒ１に位置し、かつ、第三部材３０が第一位置Ｐｓ１に位置する。この場合、規制部１４に第二掛り部３４が引掛かっているため、第二部材２０ひいては便座装置３の第一方向Ｄ１への回動が規制される。
【００４６】
被取付プレート１が第一状態Ｓｐ１である場合に、清掃の準備を行うためのスイッチ（図示なし）がオンされることにより、被取付プレート１が第一状態Ｓｐ１から、便座装置３を清掃状態Ｓｂ２にする第二状態Ｓｐ２に移行する。スイッチは、例えば、制御部を遠隔操作するリモコン（図示なし）に設けられている。スイッチがオンされた場合、駆動部４０は、ネジ部４２が第三方向に所定回転量だけ回転するように駆動する。
【００４７】
ネジ部４２が第三方向に回転した場合、第三部材３０が第二部材２０に対して前方にスライドする。第三部材３０が前方に所定距離Ｌだけスライドしたとき、図５Ｂに示すように、第二傾斜面３２と第一傾斜面１３ａとが接触する。また、このとき、規制部１４から第二掛り部３４の掛りが外れる。
【００４８】
続けて、ネジ部４２が第三方向に回転した場合、図５Ｃに示すように、第二傾斜面３２が第一傾斜面１３ａに乗り上がる。これにより、第二部材２０が第一方向Ｄ１に向けて回動する。さらに、便座装置３が第二部材２０の回動に合わせて、第一方向Ｄ１に向けて回動する。
【００４９】
そして、ネジ部４２が第三方向に所定回転量だけ回転した場合、第三部材３０が第二位置Ｐｓ２に位置し、かつ、第二部材２０が第二回動位置Ｐｒ２に位置する。第二回動位置Ｐｒ２は、第三部材３０が第二位置Ｐｓ２に位置した場合における、第二部材２０が第一回動位置Ｐｒ１から第一方向Ｄ１に向けて回動した位置である。これにより、被取付プレート１が第二状態Ｓｐ２になり、かつ、便座装置３が清掃状態Ｓｂ２になる。
【００５０】
このように、第三部材３０が第一位置Ｐｓ１に位置する場合に第三部材３０における第一傾斜面１３ａと前後方向にて対向する部位である第二傾斜面３２は、第三部材３０が第二位置Ｐｓ２に位置した場合に第一傾斜面１３ａに乗り上げる。第二部材２０は、第二傾斜面３２が傾斜面に乗り上げた場合、第一方向Ｄ１に向けて回動する。
【００５１】
また、被取付プレート１が第二状態Ｓｐ２であって第三部材３０が第二位置Ｐｓ２に位置する場合、第二部材２０が第二回動位置Ｐｒ２に位置するため、上述したように、第一溝部２１ｂ，２２ｂの前端が、第一接続部１３より上方に位置する。これにより、第一溝部２１ｂ，２２ｂの延びる方向に沿って前方に便座装置３がスライドされた場合、第一掛り部３ａ２が第一部材１０に接触しないため、図５Ｄに示すように、便座装置３が被取付プレート１から取り外される。
【００５２】
一方、図５Ｄに示す便座装置３が被取付プレート１から取り外された状態から、第一溝部２１ｂ，２２ｂに第一掛り部３ａ２を引掛けて便座装置３を後方にスライドさせることにより、便座装置３を被取付プレート１に取り付けることができる。このように、被取付プレート１（第二部材２０）は、第三部材が第二位置Ｐｓ２に位置した場合に、便座装置３が着脱可能となるように取り付けられている。
【００５３】
また、被取付プレート１が第二状態Ｓｐ２であり、かつ、便座装置３が清掃状態Ｓｂ２である場合に、スイッチがオンされることにより、駆動部４０は、ネジ部４２が第四方向に回転するように駆動する。これにより、第三部材３０が第二位置Ｐｓ２から後方にスライドするため、第二部材２０が第二回動位置Ｐｒ２から第二方向Ｄ２に向けて回動する。ネジ部４２が第四方向に所定回転量だけ駆動した場合、第三部材３０が第一位置Ｐｓ１に位置し、第二部材２０が第一回動位置Ｐｒ１に位置するため、被取付プレート１が第一状態Ｓｐ１となり、便座装置３が使用状態Ｓｂ１となる。
【００５４】
本実施形態によれば、便座装置３の被取付プレート１は、板状に形成されるとともに、腰掛式便器２における便鉢部２ａの後方に設けられた取付面２ｂに固定され、便座装置３が取り付けられる。便座装置３の被取付プレート１は、下側面が取付面２ｂに接触するように腰掛式便器２に固定され、後方に面する部位に前方から後方に向かうにしたがって上方から下方に向けて傾斜する第一傾斜面１３ａを有する第一部材１０と、第一傾斜面１３ａより後方にて第一傾斜面１３ａと前後方向に対向する位置に配置され、第一傾斜面１３ａと対向する部位が上方向に向く第一方向Ｄ１および第一方向Ｄ１と反対の第二方向Ｄ２に回動可能に第一部材１０に支持されるとともに、上側部に便座装置３が一体回転可能に取付けられた第二部材２０と、第一傾斜面１３ａと第二部材２０との間の第一位置Ｐｓ１と、第一位置Ｐｓ１より第一傾斜面１３ａ側に位置する第二位置Ｐｓ２との間をスライド可能に第二部材２０に支持された第三部材３０と、第三部材３０を第一位置Ｐｓ１と第二位置Ｐｓ２との間にてスライドさせるように駆動する駆動部４０と、を備えている。第三部材３０が第一位置Ｐｓ１に位置する場合に第三部材３０における第一傾斜面１３ａと前後方向にて対向する部位である第二傾斜面３２は、第三部材３０が第二位置Ｐｓ２に位置した場合に第一傾斜面１３ａに乗り上げる。第二部材２０は、第二傾斜面３２が傾斜面に乗り上げた場合、第一方向Ｄ１に向けて回動する。
【００５５】
これによれば、駆動部４０によって第三部材３０が第一位置Ｐｓ１から第二位置Ｐｓ２にスライドして、第三部材３０の第二傾斜面３２が第一傾斜面１３ａに乗り上げた場合、第二部材２０が第一方向Ｄ１に向けて回動した状態になる。このとき、便座装置３が第二部材２０に一体回転可能に取り付けられているため、便座装置３が第一方向Ｄ１に回動した状態になる。これにより、腰掛式便器２と便座装置３の間を清掃することができる。よって、従来技術のように、レバー体を操作しながら便座装置３を前後方向に移動させてから便座装置３を回動させる場合に比べて、腰掛式便器２と便座装置３との間の清掃の準備の容易化を図ることができる。
【００５６】
また、便座装置３は、手動でなく駆動部４０によって自動にて回動するため、腰掛式便器２と便座装置３との間の清掃の準備の容易化をさらに図ることができる。
【００５７】
また、被取付プレート１は、第三部材３０が第一位置Ｐｓ１に位置する場合、第二部材２０の第一方向Ｄ１へ向けた回動を規制する規制部１４をさらに備えている。
これによれば、腰掛式便器２と便座装置３との間の清掃を行う意思が使用者にないときに、便座装置３が第一方向Ｄ１に向けて回動することを規制することができる。
【００５８】
また、第二部材２０は、第三部材３０が第二位置Ｐｓ２に位置した場合に、便座装置３が着脱可能となるように取り付けられている。
これによれば、便座装置３が取り外されたときに、腰掛式便器２における被取付プレート１の周囲を清掃することができる。
【００５９】
なお、上述した実施形態において、便座装置の被取付プレートの一例を示したが、本発明はこれに限定されず、他の構成を採用することもできる。例えば、便座装置３は、温水洗浄便座であるが、これに代えて、洗浄装置を備えない暖房便座としても良い。
【００６０】
また、上述した実施形態において、被取付プレート１は、制御部を備えているが、これに代えて、制御部を備えないようにしても良い。この場合、便座装置３を統括制御する制御装置が駆動部４０を制御するようにしても良い。
【００６１】
また、上述した実施形態において、第一傾斜面１３ａは、平面状に設けられている。これに対して、図６に示すように、第一傾斜面１３ａは、第三部材３０が第二位置Ｐｓ２に位置する場合に第三部材３０が第一位置Ｐｓ１に向けてスライドすることを抑制する抑制部１５０を備えるようにしても良い。
【００６２】
抑制部１５０は、具体的には、第二傾斜面３２に段状に形成されている。抑制部１５０は、第一傾斜面１３ａと比べて仰角が小さくなるように形成されている。第三部材３０が第二位置Ｐｓ２に位置する場合、第二傾斜面３２の下端が抑制部１５０に位置する。これによれば、腰掛式便器２と便座装置３との間の清掃が行われているときにおいて、第三部材３０が第二位置Ｐｓ２から第一位置Ｐｓ１に向けてスライドすることが抑制されるため、便座装置３が第二方向Ｄ２に向けて回動することを抑制することができる。
【００６３】
また、上述した実施形態において、被取付プレート１は、規制部１４を備えているが、これに代えて、規制部１４を備えないようにしても良い。
【００６４】
また、上述した実施形態において、第三部材３０には、第二傾斜面３２が設けられているが、これに代えて、第二傾斜面３２を設けないようにしても良い。この場合、第三部材３０の下側面と前側面との接続部が角状に設けられ、第一傾斜面１３ａの下端が第一接続部１３の下面に接続するようにして、第三部材３０が第一傾斜面１３ａに乗り上がるようにする。なお、この場合、第三部材３０の下側面と前側面との接続部が本発明の第一部位に相当する。
【００６５】
また、本発明の要旨を逸脱しない範囲において、第一部材１０、第二部材２０および第三部材３０の形状、並びに、駆動部４０の構成を変更するようにしても良い。
【符号の説明】
【００６６】
１…被取付プレート、２…腰掛式便器、２ａ…便鉢部、２ｂ…取付面、３…便座装置、１０…第一部材、１３ａ…第一傾斜面（傾斜面）、１４…規制部、２０…第二部材、３０…第三部材、３２…第二傾斜面（第一部位）、４０…駆動部、Ｄ１…第一方向、Ｄ２…第二方向、Ｐｓ１…第一位置、Ｐｓ２…第二位置。
【図１】
2019030565.tif 000003
【図２】
2019030565.tif 000004
【図３】
2019030565.tif 000005
【図４】
2019030565.tif 000006
【図５Ａ】
2019030565.tif 000007
【図５Ｂ】
2019030565.tif 000008
【図５Ｃ】
2019030565.tif 000009
【図５Ｄ】
2019030565.tif 000010
【図６】
2019030565.tif 000011